(57)【要約】【課題】小さい力で物干竿を支持させることができ、支持させた後は、動こうとする物干竿を強い力で押えて落下を防止することができる。【解決手段】吊掛具２は、シャフト３の下部に竿受具４を取り付けて成り、竿受具４は、パイプ部４ａの下端にリング部４ｂを一体的に設けてある。シャフト３の内部下部には、受止具７を固定し、その下方に弾性体１０を介在させて、調整受止具６を上下動可能に設けてある。調整受止具６は、長孔１２を設けて、その長孔１２にねじ１１が貫通されてシャフト３の内部に、長孔１２の範囲内で上下動可能に設けてある。調整受止具６は、弾性体１０で下方に付勢され、止具８で固定できる。調整受止具６の下端には、押圧弾性体９を取り付け、押圧弾性体９の下端に押え具５を取り付けてある。押え具５は、竿受具４のパイプ部４ａの内部からリング部４ｂに貫通して上下動可能に設けられ、押圧弾性体９によって下方に付勢されている。【選択図】図２
2008080006.tif 000002
【特許請求の範囲】
【請求項１】
天井面等に取り付けられる支持具に吊掛具を支持させて成る吊掛装置において、吊掛具は、シャフトの下部に、物干竿を挿通して支持する竿受具を設け、棒状の押え具は、物干竿が挿通される竿受具の空間内で、上下動可能になるよう設けられると共に、上部が調整受止具に接触する押圧弾性体によって下方へ付勢されて成り、調整受止具は、上下動可能に設けられると共に、上方から弾性体等により下方へ付勢されており、押え具を上下に動かすことによって、押圧弾性体を介して調整受止具を上下動させて上下位置を調整し固定することができるようにしたことを特徴とする吊掛装置。
【発明の詳細な説明】
【技術分野】
【０００１】
本発明は、天井面やベランダの軒下等に２つを一組として取り付けて、物干竿を掛け渡して使用する吊掛装置に関するものである。
【背景技術】
【０００２】
従来より、特開２００５−２３０２０４号発明のように、シャフトの下部に、物干竿を挿通して支持することができる引掛部（竿受具）を設けた吊掛装置は提案されている。また、特開平９−３１３７８３号発明のように、竿受部に押え具をばねで付勢して設けて、この押え具をばねに抗して後退させて物干竿を挿通し、ばねの力で物干竿を押えることができるようにした物干竿受具は提案されている。
【特許文献１】特開２００５−２３０２０４号公報
【特許文献２】特開平９−３１３７８３号公報
【発明の開示】
【発明が解決しようとする課題】
【０００３】
上記前者の従来例においては、引掛部（竿受部）に押え具を設けていないので、ベランダの軒下等に２つを一組として取り付けて、引掛部（竿受部）に物干竿を挿通して使用する場合に、洗濯物に風あるいは人が当たると、物干竿が外れることがあるという問題がある。
【０００４】
また、後者の従来例においては、物干竿が外れてしまうのを防ぐためのものであるが、物干竿には太さが相違するものがあるため、ばねの強さが強いと、細い物干竿であっても押える力は十分であるが、太い物干竿の場合には、押え具をばねに抗して後退させるのに大きな力を必要とし大変であるという問題があり、ばねの強さが弱いと、押え具をばねに抗して後退させやすくなるが、細い物干竿の場合には、押える力が弱くなるという問題がある。
本発明は、上述したこれら問題を解決することを課題としている。
【課題を解決するための手段】
【０００５】
本発明は、上記の課題を解決するために、天井面等に取り付けられる支持具に吊掛具を支持させて成る吊掛装置において、吊掛具は、シャフトの下部に、物干竿を挿通して支持する竿受具を設け、棒状の押え具は、物干竿が挿通される竿受具の空間内で、上下動可能になるよう設けられると共に、上部が調整受止具に接触する押圧弾性体によって下方へ付勢されて成り、調整受止具は、上下動可能に設けられると共に、上方から弾性体等により下方へ付勢されており、押え具を上下に動かすことによって、押圧弾性体を介して調整受止具を上下動させて上下位置を調整し固定することができるように構成したものである。
【発明の効果】
【０００６】
本発明は、押え具を上方に動かして放して、竿受具に挿通された物干竿に当接させた後、調整受止具を固定して、物干竿を支持するものであるが、押え具を上方に動かすと、弾性体等の付勢力に抗して調整受止具も上方に動くので、押圧弾性体に加えて弾性体等も変形する等してそれほど大きな力を必要とせずに物干竿を支持させることができると共に、調整受止具を固定して支持させた後には、物干竿が落下しようとして動くと押圧弾性体だけが変形してその弾性力が働くため大きな反発力となり、容易に落下することがないという効果がある。
【０００７】
また、調整受止具を上方から弾性体等により下方へ付勢しているので、万一調整受止具を固定しなくても、押え具は物干竿を押えることができ、落下を防止する機能を発揮することができるという効果がある。
【実施例】
【０００８】
本発明の吊掛装置は、天井面やベランダの軒下等に取り付けられる支持具１と、その支持具１に取り付けられる吊掛具２から成る。
【０００９】
吊掛具２は、円形パイプ状のシャフト３の下部に竿受具４を取り付けて成る。竿受具４は、円形のパイプ部４ａの下端にリング部４ｂを一体的に設けたもので、シャフト３の下端をパイプ部４ａの上端から挿入し、ねじ１１を貫通させて、シャフト３下端に固定される。
【００１０】
シャフト３の内部下部には、略円柱状で上下部が小径になった受止具７を固定し、その下方に圧縮ばねの弾性体１０を介在させて、略円柱状で上下部が小径になった調整受止具６を上下動可能に設けてある。
【００１１】
調整受止具６は、上下方向に長い長孔１２を設けて、その長孔１２に前述のねじ１１が貫通されてシャフト３の内部に、長孔１２の範囲内で上下動可能に設けてある。また、調整受止具６は、弾性体１０で下方に付勢され、竿受具４のパイプ部４ａに設けたねじ孔１３に螺合した止具８で、上下位置を調整した後、固定できるようになっている。
【００１２】
調整受止具６の下端には、弾性体１０より強い圧縮ばねである押圧弾性体９を取り付け、さらに押圧弾性体９の下端に押え具５を取り付けてある。押え具５は、竿受具４のパイプ部４ａの内部からリング部４ｂに貫通して上下動可能に設けられており、押圧弾性体９によって下方に付勢され、抜け止めされている。
【００１３】
弾性体１０は、押圧弾性体９よりも弱いばねで、止具８を緩めた状態で押圧弾性体９を少し圧縮する程度の強さである。なお、弾性体１０の代わりに、調整受止具６の上に上下動自在の錘を配設して、調整受止具６を下方へ付勢するようにしてもよい。
【００１４】
使用するには、止具８を緩めて弾性体１０及び押圧弾性体９の弾性力に抗して押え具５を持ち上げて（この時調整受止具６も上方に移動する）、竿受具４のリング部４ｂに物干竿Ｐの一端部を挿通して押え具５を放すと、弾性体１０及び押圧弾性体９の弾性力によって、押え具５は下方に移動し物干竿Ｐを押圧することになり、その後止具８を締め付けて調整受止具６を固定する。物干竿Ｐの他端部についても同様にし、物干竿Ｐを一対の吊掛具２・２に掛け渡す。
【００１５】
止具８を締め付けて調整受止具６を固定した状態では、押圧弾性体９の弾性力だけで押え具５の先端が物干竿Ｐを押圧し、物干竿Ｐが竿受具４のリング部４ｂから外れて落下するのを防止することになる。
【００１６】
押え具５を上方に動かすと、調整受止具６も上方に動いて、弾性体１０も変形するので、強い押圧弾性体９を大きく変形させることがなく、それほど大きな力を必要とせずに物干竿Ｐを支持させることができると共に、調整受止具６を止具８で固定して支持させた後には、物干竿が落下しようとして動くと、弾性体１０は変形せず強い押圧弾性体９だけが変形してその弾性力が働くため大きな反発力となる。つまり、小さい力で物干竿Ｐを支持させることができ、支持させた後は、動こうとする物干竿Ｐを強い力で押えて落下を防止することができる。
【００１７】
さらに、止具８を緩め忘れても、物干竿が落下しようとして動くと、押圧弾性体９と弾性体１０の両方が変形して、それらの弾性力によって押え具５の先端が物干竿Ｐを押えることになり、強い押圧弾性体９だけの弾性力よりは弱いが、物干竿Ｐが竿受具４のリング部４ｂが外れて落下するのを防止する機能を発揮することができる。
【図面の簡単な説明】
【００１８】
【図１】使用状態を示す全体正面図である。
【図２】物干竿を挿通した状態の側面から見た要部断面図である。
【図３】物干竿を挿通した状態の正面から見た要部断面図である。
【図４】物干竿を挿通していない状態の側面から見た要部断面図である。
【符号の説明】
【００１９】
１    支持具
２    吊掛具
３    シャフト
４    竿受具
５    押え具
６    調整受止具
９    押圧弾性体
【図１】
2008080006.tif 000003
【図２】
2008080006.tif 000004
【図３】
2008080006.tif 000005
【図４】
2008080006.tif 000006